Podtech/llm-jp-corpus-v4-ja_patent huggingface dataset:
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
撮像装置であって、
被写体を撮像して画像を生成する撮像手段と、
方位を取得する方位取得手段と、
前記撮像装置の姿勢を検出する姿勢検出手段と、
前記撮像手段により生成される画像を表示部に表示するよう制御する表示制御手段と、前記姿勢検出手段により検出された姿勢から決定される撮像装置の仰角に基づき、第一のモードと第二のモードとを切り換えるよう制御する切り替え手段とを有し、
前記第一の表示モードでは、前記切り替え手段は、前記方位取得手段により取得される方位情報に基づき撮像方向を示す情報を表示するよう制御し、
前記第二の表示モードでは、前記切り替え手段は、前記方位取得手段により取得される方位情報に基づき前記撮像装置の天面または底面の少なくとも一方の方向を示す情報を表示するよう制御することを特徴とする撮像装置。
【請求項２】
前記撮像装置の仰角が所定の角度以上となった場合、前記切り替え手段は、第二のモードとなるよう制御し、
前記撮像装置の仰角が所定の角度未満となった場合、前記切り替え手段は、第一のモードとなるよう制御することを特徴とする請求項１に記載の撮像装置。
【請求項３】
前記撮像手段は複数の撮像モードに応じた撮像が可能であり、
前記切り替え手段は、前記撮像モードに応じて前記第１のモードから前記第２のモードへ切り替えるか否かを変更することを特徴とする請求項１または２に記載の撮像装置。
【請求項４】
前記撮像モードは、一度の指示で一枚の静止画像を生成する単写モード、一度の指示で複数の静止画像を生成する連写モード、動画像を生成する動画モード、パノラマ画像を生成するパノラマモードの少なくともいずれか一つを含む請求項３に記載の撮像装置。
【請求項５】
前記撮像モードが、前記連写モード、前記動画モード、前記パノラマモードのうちのいずれかであった場合、前記切り替え手段は、前記第１のモードから前記第２のモードへ切り替えないことを特徴とする請求項４に記載の撮像装置。
【請求項６】
前記切り替え手段は、前記撮像手段による撮像中は、前記第１のモードから前記第２のモードに切り替えないことを特徴とする請求項１乃至５のいずれか１項に記載の撮像装置。
【請求項７】
前記切り替え手段は、前記撮像手段による撮像中は、前記第１のモードおよび前記第２のモードのうち、撮像を開始する際のモードから他のモードへ切り替えないことを特徴とする請求項１乃至５のいずれか１項に記載の撮像装置。
【請求項８】
前記撮像手段に撮像させるための指示を受け付ける受け付け手段を更に有し、
前記切り替え手段は、前記受け付け手段により前記指示が受け付けられた後、且つ前記指示に応じた撮像が完了するまで、前記第１のモードから、前記第２のモードに切り替えないことを特徴とする請求項１乃至５のいずれか１項に記載の撮像装置。
【請求項９】
前記撮像手段に撮像させるための指示を受け付ける受け付け手段を更に有し、
前記切り替え手段は、前記受け付け手段により前記指示が受け付けられた後、且つ前記指示に応じた撮像が完了するまで、前記第１のモードおよび前記第２のモードのうち、前記指示が受け付けられたタイミングにおけるモードから他のモードへ切り替えないことを特徴とする請求項１乃至５のいずれか１項に記載の撮像装置。
【請求項１０】
前記姿勢検出手段により検出された姿勢から決定される撮像装置の仰角が、所定の角度以上となった場合であっても、前記撮像装置の仰角が、所定の角度以上となったまま一定時間が経過するまでは、前記切り替え手段は、前記第１のモードから前記第２のモードへ切り替えないことを特徴とする請求項１乃至９のいずれか１項に記載の撮像装置。
【請求項１１】
前記姿勢検出手段により検出された姿勢から決定される撮像装置の仰角が、所定の角度以上となった場合、かつ前記仰角を前記所定の角度以上にならしめた仰角の変化量が、予め定められた所定の量以上である場合、前記切り替え手段は、一定時間の経過を待つことなく、前記第１のモードから前記第２のモードへ切り替えることを特徴とする請求項１０に記載の撮像装置。
【請求項１２】
前記撮像手段は、前記撮像装置に着脱可能なレンズユニットを含み、
前記切り替え手段は、前記レンズユニットの種類に応じて、前記第１のモードから前記第２のモードへ切り替えるか否かを変更することを特徴とする請求項１乃至１１のいずれか１項に記載の撮像装置。
【請求項１３】
前記撮像手段は、前記撮像装置に着脱可能なレンズユニットを含み、
前記切り替え手段は、前記所定の角度を、前記レンズユニットの種類に応じて異ならせることを特徴とする請求項１乃至１１のいずれか１項に記載の撮像装置。
【請求項１４】
前記所定の角度はユーザの操作に応じて、レンズの種類毎にそれぞれ設定されることを特徴とする請求項１乃至１３のいずれか１項に記載の撮像装置。
【請求項１５】
撮像装置の制御方法であって、
被写体を撮像して画像を生成する撮像ステップと、
方位を取得する方位取得ステップと、
前記撮像装置の姿勢を検出する姿勢検出ステップと、
前記撮像ステップで生成される画像を表示部に表示するよう制御する表示制御ステップと、
前記姿勢検出ステップで検出された姿勢から決定される撮像装置の仰角に基づき、第一のモードと第二のモードとを切り換えるよう制御する切り替えステップとを有し、
前記第一の表示モードでは、前記方位取得手段により取得される方位情報に基づき撮像方向を示す情報を表示し、
前記第二の表示モードでは、前記方位取得手段により取得される方位情報に基づき前記撮像装置の天面または底面の少なくとも一方の方向を示す情報を表示する撮像装置の制御方法。
【請求項１６】
コンピュータを、請求項１乃至１４のいずれか１項に記載の撮像装置の各手段として機能させるためのコンピュータが読み取り可能なプログラム。
【手続補正２】
【補正対象書類名】明細書
【補正対象項目名】０００７
【補正方法】変更
【補正の内容】
【０００７】
上述の課題を解決するために、本願発明の撮像装置は、被写体を撮像して画像を生成する撮像手段と、方位を取得する方位取得手段と、前記撮像装置の姿勢を検出する姿勢検出手段と、前記撮像手段により生成される画像を表示部に表示するよう制御する表示制御手段と、前記姿勢検出手段により検出された姿勢から決定される撮像装置の仰角に基づき、第一のモードと第二のモードとを切り換えるよう制御する切り替え手段とを有し、前記第一の表示モードでは、前記切り替え手段は、前記方位取得手段により取得される方位情報に基づき撮像方向を示す情報を表示するよう制御し、前記第二の表示モードでは、前記切り替え手段は、前記方位取得手段により取得される方位情報に基づき前記撮像装置の天面または底面の少なくとも一方の方向を示す情報を表示するよう制御することを特徴とする。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
マイクロプローブへ試料を結合する方法であって：
前記試料を供する段階；
先端部を有するマイクロプローブを供する段階；
接触するまで前記先端部を前記試料へ向けて動かす段階；
前記試料の一部を固化した状態を維持しながら前記試料を局所的に融解する段階；及び、
前記の局所的に融解した試料を凍結させて前記先端部に取り付ける段階、
を有し、
前記局所的に融解する段階が前記先端部の振動によって実現され、かつ、前記の局所的に融解した試料は、前記振動が止まったときに凍結して前記先端部に結合する、
ことを特徴とする方法。
【請求項２】
前記試料が、凍結含水試料、ガラス化試料、又はポリマーである、請求項１に記載の方法。
【請求項３】
前記試料はガラス化含水試料又はガラス化ポリマーで、
前記試料は前記試料のガラス転移温度よりも低い温度で供され、かつ、
前記試料の一部は当該方法を実施する間中前記試料材料のガラス転移温度より低い温度に保たれ、その結果前記試料の一部はガラス化したままである、
請求項１に記載の方法。
【請求項４】
前記先端部が金属先端部である、請求項１に記載の方法。
【請求項５】
前記先端部が、接触している間に振動している、請求項１に記載の方法。
【請求項６】
前記振動の周波数は１乃至１００ｋＨｚである、請求項１に記載の方法。
【請求項７】
前記振動の振幅は１０ｎｍ乃至２００ｎｍである、請求項１に記載の方法。
【請求項８】
前記先端部が、前記試料の表面に平行な面内で振動する、請求項１に記載の方法。
【請求項９】
前記結合は排気されたチャンバ内、より具体的には荷電粒子装置の試料チャンバ内で行われる、請求項１に記載の方法。
【請求項１０】
前記荷電粒子装置が電子鏡筒及び／又は集束イオンビーム鏡筒を有する、請求項１に記載の方法。
【請求項１１】
荷電粒子装置と併用されるマイクロプローブであって、
前記荷電粒子装置は試料保持するように構成された試料位置を有し、
前記マイクロプローブは先端部を有し、
前記マイクロプローブは、前記先端部を前記試料に接触させる位置設定手段を備え、
前記先端部は振動するように構成され、
前記先端部は、振動するときに前記試料を局所的に融解させ、
前記の局所的に融解した試料は、前記振動が止まったときに凍結して前記先端部に結合し、
前記先端部が−５０℃よりも低い温度に冷却されるように構成される、
ことを特徴とするマイクロプローブ。
【請求項１２】
集束イオンビーム鏡筒及び／又は電子ビーム鏡筒を備える荷電粒子装置であって、
試料位置が極低温でガラス化した生体試料を保持するように構成され、
先端部を有するマイクロプローブを備え、
前記マイクロプローブは、前記先端部と前記試料とを接触させる位置設定手段を備え、
前記先端部は、振動時に前記試料を局所的に融解するように振動する、
荷電粒子装置。
【請求項１３】
前記試料を−５０℃よりも低い温度に保つように構成される請求項１２に記載の荷電粒子装置であって、
前記マイクロプローブが請求項１１に記載のマイクロプローブである、
荷電粒子装置。
【請求項１４】
システム制御装置をさらに有する請求項１２に記載の荷電粒子装置であって、
前記システム制御装置は：
前記試料を供する命令；
先端部を有するマイクロプローブを供する命令；
接触するまで前記先端部を前記試料へ向けて動かす命令；
前記試料の一部を固化した状態を維持しながら前記試料を局所的に融解する命令；及び、
前記の局所的に融解した試料を凍結させて前記先端部に取り付ける命令、
を有し、
前記局所的に融解する段階が前記先端部の振動によって実現され、かつ、前記の局所的に融解した試料は、前記振動が止まったときに凍結して前記先端部に結合する、
荷電粒子装置。
【請求項１５】
前記試料はガラス化含水試料又はガラス化ポリマーで、
前記試料は前記試料のガラス転移温度よりも低い温度で供され、かつ、
前記試料の一部は当該方法を実施する間中前記試料材料のガラス転移温度より低い温度に保たれ、その結果前記試料の一部はガラス化したままである、
請求項１４に記載の荷電粒子装置。
【請求項１６】
前記先端部が金属先端部である、請求項１２に記載の荷電粒子装置。
【請求項１７】
前記先端部が、接続されている間に振動する、請求項１４に記載の荷電粒子装置。
【請求項１８】
前記先端部が、前記試料の表面に対して平行な面内で振動する、請求項１４に記載の荷電粒子装置。
【請求項１９】
請求項１４に記載の荷電粒子装置であって、
結合が当該荷電粒子装置の真空チャンバ内で行われる、
荷電粒子装置。
【手続補正書】
【提出日】平成28年5月23日(2016.5.23)
【手続補正１】
【補正対象書類名】明細書
【補正対象項目名】０００９
【補正方法】変更
【補正の内容】
【０００９】
請求項３に係る発明は、像保持体の表面を帯電する帯電工程と、帯電した前記像保持体の表面に静電潜像を形成する静電潜像形成工程と、前記静電潜像を結着樹脂及び離型剤を含むトナーとキャリア液とを含有する液体現像剤により現像して前記像保持体の表面にトナー像を形成する現像工程と、前記トナー像を記録媒体に転写する転写工程と、転写された前記トナー像を加熱する加熱工程と、加熱された前記トナー像から前記キャリア液を除去するキャリア液除去工程と、前記キャリア液除去工程によりキャリア液が除去された前記トナー像を加熱して定着する定着工程と、を有し、下記（１’）及び（２’）の条件を満たす画像形成方法である。
（１’）前記トナーにおいて、離型剤の溶融温度Ｔｗが結着樹脂の溶融温度又はガラス転移温度Ｔｐよりも高いこと
（２’）前記加熱工程での加熱温度Ｔ１が、前記結着樹脂の溶融温度又はガラス転移温度Ｔｐよりも高く且つ前記離型剤の溶融温度Ｔｗよりも低いこと
【手続補正２】
【補正対象書類名】特許請求の範囲
【補正対象項目名】全文
【補正方法】変更
【補正の内容】
【特許請求の範囲】
【請求項１】
像保持体と、
前記像保持体の表面を帯電する帯電手段と、
帯電した前記像保持体の表面に静電潜像を形成する静電潜像形成手段と、
結着樹脂及び離型剤を含むトナーとキャリア液とを含有する液体現像剤を収容し、且つ、該液体現像剤により前記静電潜像を現像して前記像保持体の表面にトナー像を形成する現像手段と、
前記トナー像を記録媒体に転写する転写手段と、
転写された前記トナー像を加熱する加熱手段と、
加熱された前記トナー像から前記キャリア液を除去するキャリア液除去手段と、
前記キャリア液除去手段によりキャリア液が除去された前記トナー像を加熱して定着する定着手段と、
を備え、下記（１）及び（２）の条件を満たす画像形成装置。
（１）前記トナーにおいて、離型剤の溶融温度Ｔｗが結着樹脂の溶融温度又はガラス転移温度Ｔｐよりも高いこと
（２）前記加熱手段による加熱温度Ｔ１が、前記結着樹脂の溶融温度又はガラス転移温度Ｔｐよりも高く且つ前記離型剤の溶融温度Ｔｗよりも低いこと
【請求項２】
更に、下記（３）の条件を満たす請求項１に記載の画像形成装置。
（３）前記定着手段による加熱温度Ｔ２が、前記離型剤の溶融温度Ｔｗよりも高いこと
【請求項３】
像保持体の表面を帯電する帯電工程と、
帯電した前記像保持体の表面に静電潜像を形成する静電潜像形成工程と、
前記静電潜像を結着樹脂及び離型剤を含むトナーとキャリア液とを含有する液体現像剤により現像して前記像保持体の表面にトナー像を形成する現像工程と、
前記トナー像を記録媒体に転写する転写工程と、
転写された前記トナー像を加熱する加熱工程と、
加熱された前記トナー像から前記キャリア液を除去するキャリア液除去工程と、
前記キャリア液除去工程によりキャリア液が除去された前記トナー像を加熱して定着する定着工程と、
を有し、下記（１’）及び（２’）の条件を満たす画像形成方法。
（１’）前記トナーにおいて、離型剤の溶融温度Ｔｗが結着樹脂の溶融温度又はガラス転移温度Ｔｐよりも高いこと
（２’）前記加熱工程での加熱温度Ｔ１が、前記結着樹脂の溶融温度又はガラス転移温度Ｔｐよりも高く且つ前記離型剤の溶融温度Ｔｗよりも低いこと
【請求項４】
更に、下記（３’）の条件を満たす請求項３に記載の画像形成方法。
（３’）前記定着工程での加熱温度Ｔ２が、前記離型剤の溶融温度Ｔｗよりも高いこと
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
複数のユーザの発言の内容と前記発言間の関係情報を含む発言情報の解析装置において、
前記発言情報を収集する収集部と、
前記発言の内容における特定のキーワードの出現を分析する分析部と、
前記特定のキーワードの出現の分析に基づいて前記内容を発言した前記複数のユーザをセグメント化するセグメント化部と、
前記発言間の関係情報に基づいて前記発言した前記複数のユーザ間の関係を有向グラフ化するグラフ作成部と、
前記セグメント化部のセグメント化に関する情報と前記グラフ作成部の有向グラフ化に関する情報とに基づいてユーザ間の関係に関する情報を算出する算出部と、
を有することを特徴とする解析装置。
【請求項２】
前記特定のキーワードは嗜好キーワードまたは嗜好キーワードに関連する単語であり、
前記セグメント化部は、
前記発言の内容に含まれる前記嗜好キーワードまたは嗜好キーワードに関連する単語の出現頻度に基づいて前記ユーザそれぞれの嗜好の強さを表す嗜好度を算出し、
前記算出した嗜好度に基づいて前記複数のユーザをセグメント化すること
を特徴とする請求項１に記載の解析装置。
【請求項３】
前記発言情報はソーシャルメディアであり、前記発言間の関係情報は発言の引用およびその回数を含み、
前記グラフ作成部は、前記発言間の引用を有向グラフ化し、
前記算出部は、前記有向グラフの数に基づいてユーザ間の影響力を算出すること
を特徴とする請求項１に記載の解析装置。
【請求項４】
前記算出部は、同一セグメント内のユーザ間の有向グラフであるか、異なるセグメント内のユーザ間の有向グラフであるかに基づいて、ユーザ間の影響力を算出することを特徴とする請求項１に記載の解析装置。
【請求項５】
前記セグメントの中から特定のセグメントを選択する指示内容を表示し、
前記表示した指示内容に応じたセグメントを選択し、
前記選択されたセグメントの範囲を表す図形と、前記選択されたセグメントに含まれるユーザを表す図形と、前記選択されたセグメントに含まれるユーザの関係を表す有向グラフを表す図形を表示する表示部
をさらに有することを特徴とする請求項１に記載の解析装置。
【請求項６】
前記セグメントの中から特定のセグメントを選択する指示内容を表示し、
前記表示した指示内容に応じたセグメントを選択し、
前記選択されたセグメントに含まれるユーザの関係を表す有向グラフを前記選択されたセグメント間でまとめ、
前記選択されたセグメントを表す図形と、前記まとめたセグメント間の有向グラフを表す図形を表示する表示部
をさらに有することを特徴とする請求項１に記載の解析装置。
【請求項７】
時系列データを収集し、前記収集した時系列データにおける変化を検知し、前記検知された変化の日時を前記分析部へ通知し、前記検知された変化に関するキーワードをセグメント化部へ通知する比較部をさらに有し、
前記分析部は前記通知された日時より所定期間前を分析し、
前記セグメント化部は前記通知されたキーワードに基づいてセグメント化すること
を特徴とする請求項１に記載の解析装置。
【請求項８】
複数のユーザの発言の内容と前記発言間の関係情報を含む発言情報の解析方法であって、
前記発言情報を収集する収集ステップと、
前記発言の内容における特定のキーワードの出現を分析する分析ステップと、
前記特定のキーワードの出現の分析に基づいて前記内容を発言した前記複数のユーザをセグメント化するセグメント化ステップと、
前記発言間の関係情報に基づいて前記発言した前記複数のユーザ間の関係を有向グラフ化するグラフ作成ステップと、
前記セグメント化ステップのセグメント化に関する情報と前記グラフ作成ステップの有向グラフ化に関する情報とに基づいてユーザ間の関係に関する情報を算出する算出ステップと、
を有することを特徴とする解析方法。
【請求項９】
前記特定のキーワードは嗜好キーワードまたは嗜好キーワードに関連する単語であり、
前記セグメント化ステップは、
前記発言の内容に含まれる前記嗜好キーワードまたは嗜好キーワードに関連する単語の出現頻度に基づいて前記ユーザそれぞれの嗜好の強さを表す嗜好度を算出し、
前記算出した嗜好度に基づいて前記複数のユーザをセグメント化すること
を特徴とする請求項８に記載の解析方法。
【請求項１０】
前記発言情報はソーシャルメディアであり、前記発言間の関係情報は発言の引用およびその回数を含み、
前記グラフ作成ステップは、前記発言間の引用を有向グラフ化し、
前記算出ステップは、前記有向グラフの数に基づいてユーザ間の影響力を算出すること
を特徴とする請求項８に記載の解析方法。
【請求項１１】
前記算出ステップは、同一セグメント内のユーザ間の有向グラフであるか、異なるセグメント内のユーザ間の有向グラフであるかに基づいて、ユーザ間の影響力を算出することを特徴とする請求項８に記載の解析方法。
【請求項１２】
前記セグメントの中から特定のセグメントを選択する指示内容を表示し、
前記表示した指示内容に応じたセグメントを選択し、
前記選択されたセグメントの範囲を表す図形と、前記選択されたセグメントに含まれるユーザを表す図形と、前記選択されたセグメントに含まれるユーザの関係を表す有向グラフを表す図形を表示する表示ステップ
をさらに有することを特徴とする請求項８に記載の解析方法。
【請求項１３】
前記セグメントの中から特定のセグメントを選択する指示内容を表示し、
前記表示した指示内容に応じたセグメントを選択し、
前記選択されたセグメントに含まれるユーザの関係を表す有向グラフを前記選択されたセグメント間でまとめ、
前記選択されたセグメントを表す図形と、前記まとめたセグメント間の有向グラフを表す図形を表示する表示ステップ
をさらに有することを特徴とする請求項８に記載の解析方法。
【請求項１４】
時系列データを収集し、前記収集した時系列データにおける変化を検知する比較ステップをさらに有し、
前記分析ステップは前記検知された変化の日時より所定期間前を分析し、
前記セグメント化ステップは前記検知された変化に関するキーワードに基づいてセグメント化すること
を特徴とする請求項８に記載の解析方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
ネットワークを介して、メッセージの送受信を行なうメッセージ処理部を備えた端末装置であって、
前記端末装置のメッセージ処理部が、
コンテンツを管理するリソースからコンテンツを取得して一覧表示するアグリゲータを備えたコンテンツビューと、
前記コンテンツビューにより一覧表示されたコンテンツにおいて共有を指示されたコンテンツのリソース情報を特定する共有部と、
他の端末装置からのメッセージをタイムライン画面に表示するとともに、前記リソース情報を含めたメッセージを送信し、前記タイムライン画面に表示する会話ビューとを備え、
前記アグリゲータが、ネットワークを介して、前記リソースから取得し、前記タイムライン画面において、共有可能とするコンテンツを選択可能な形態で表示したアグリゲート画面を出力することを特徴とする端末装置。
【請求項２】
メッセージにリソース情報が含まれている場合には、前記リソース情報に基づいて、前記コンテンツの概要情報を取得し、
前記概要情報をメッセージに表示することを特徴とする請求項１に記載の端末装置。
【請求項３】
前記アグリゲータにクライアントの趣向に対応したキーを保持させ、
前記アグリゲータが、前記キーに対応してフィルタリングされたコンテンツを取得することを特徴とする請求項１又は２に記載の端末装置。
【請求項４】
前記共有部は、外部のソーシャルメディアサーバに接続され、前記ソーシャルメディアサーバに対して、前記リソース情報を含めたメッセージを送信可能にしたことを特徴とする請求項１〜３のいずれか一項に記載の端末装置。
【請求項５】
ネットワークを介して、メッセージの送受信を行なうメッセージ処理部を備えた端末装置を用いて、メッセージ送受信を行なう端末装置の制御方法であって、
前記端末装置のメッセージ処理部が、
コンテンツを管理するリソースからコンテンツを取得して一覧表示するアグリゲータを
備えたコンテンツビューと、
前記コンテンツビューにより一覧表示されたコンテンツにおいて共有を指示されたコンテンツのリソース情報を特定する共有部と、
他の端末装置からのメッセージをタイムライン画面に表示する会話ビューとを備え、
前記アグリゲータが、ネットワークを介して、前記リソースから取得し、前記タイムライン画面において、共有可能とするコンテンツを選択可能な形態で表示したアグリゲート画面を出力することを特徴とする端末装置の制御方法。
【請求項６】
ネットワークを介して、メッセージの送受信を行なうメッセージ処理部を備えた端末装置を用いて、メッセージ送受信を行なう端末装置の制御プログラムであって、
前記端末装置のメッセージ処理部を、
コンテンツを管理するリソースからコンテンツを取得して一覧表示するアグリゲータを備えたコンテンツビューと、
前記コンテンツビューにより一覧表示されたコンテンツにおいて共有を指示されたコンテンツのリソース情報を特定する共有部と、
他の端末装置からのメッセージをタイムライン画面に表示するとともに、前記リソース情報を含めたメッセージを送信し、前記タイムライン画面に表示する会話ビューとして機能させるとともに、
前記アグリゲータを、ネットワークを介して、前記リソースから取得し、前記タイムライン画面において、共有可能とするコンテンツを選択可能な形態で表示したアグリゲート画面を出力する手段として機能させることを特徴とする端末装置の制御プログラム。
【手続補正２】
【補正対象書類名】明細書
【補正対象項目名】発明の名称
【補正方法】変更
【補正の内容】
【発明の名称】端末装置、端末装置の制御方法及び端末装置の制御プログラム
【手続補正３】
【補正対象書類名】明細書
【補正対象項目名】０００７
【補正方法】変更
【補正の内容】
【０００７】
本発明は、上述した問題に鑑みてなされたものであり、その目的は、多様なコンテンツを利用して、円滑なコミュニケーションを図るための端末装置、端末装置の制御方法及び端末装置の制御プログラムを提供することにある。
【手続補正４】
【補正対象書類名】明細書
【補正対象項目名】０００８
【補正方法】変更
【補正の内容】
【０００８】
（１）上記課題を解決する端末装置は、ネットワークを介して、メッセージの送受信を行なうメッセージ処理部を備える。そして、前記端末装置のメッセージ処理部が、コンテンツを管理する複数のリソースからコンテンツを取得して一覧表示するアグリゲータを備えたコンテンツビューと、前記コンテンツビューにより一覧表示されたコンテンツにおいて共有を指示されたコンテンツのリソース情報を特定する共有部と、他の端末装置からのメッセージをタイムライン画面に表示するとともに、前記リソース情報を含めたメッセージを送信し、前記タイムライン画面に表示する会話ビューとを備え、前記アグリゲータが、ネットワークを介して、前記リソースから取得し、前記タイムライン画面において、共
有可能とするコンテンツを選択可能な形態で表示したアグリゲート画面を出力する。これにより、コンテンツをメッセージに効率的に展開することができるとともに、複数のリソースにおいて、共有するコンテンツを選択することができる。
【手続補正５】
【補正対象書類名】明細書
【補正対象項目名】０００９
【補正方法】変更
【補正の内容】
【０００９】
（２）上記端末装置においては、メッセージにリソース情報が含まれている場合には、前記リソース情報に基づいて、前記コンテンツの概要情報を取得し、前記概要情報をメッセージに表示することが好ましい。これにより、メッセージにおいてコンテンツの概要を把握することができる。
【手続補正６】
【補正対象書類名】明細書
【補正対象項目名】００１０
【補正方法】変更
【補正の内容】
【００１０】
（３）上記端末装置においては、前記アグリゲータにクライアントの趣向に対応したキーを保持させ、前記アグリゲータが、前記キーに対応してフィルタリングされたコンテンツを取得することが好ましい。
【手続補正７】
【補正対象書類名】明細書
【補正対象項目名】００１１
【補正方法】変更
【補正の内容】
【００１１】
（４）上記端末装置においては、前記共有部は、外部のソーシャルメディアサーバに接続され、前記ソーシャルメディアサーバに対して、前記リソース情報を含めたメッセージを送信可能にしたことが好ましい。これにより、外部ソーシャルメディアサービスにおいても、コンテンツを共有することができる。
【手続補正８】
【補正対象書類名】明細書
【補正対象項目名】００１４
【補正方法】変更
【補正の内容】
【００１４】
以下、メッセージ送受信を行なう端末装置の一実施形態を図１〜図６に従って説明する。本実施形態は、複数のクライアントの端末装置間でメッセージを送受信するチャットサービスに適用する場合を想定する。
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
グループ１ダニアレルゲンのアミノ酸配列の断片およびグループ２ダニアレルゲンのアミノ酸配列の断片を包含する、アレルゲン活性の低減したポリペプチドであって、該配列は１つまたは２つ以上のＩｇＥ抗体結合エピトープを欠失し、該断片は少なくとも５０個の長さのアミノ酸残基を含むことを特徴とするポリペプチド。
【請求項２】
野生タンパク質アレルゲンよりも免疫原性が高いことを特徴とする、請求項１に記載のポリペプチド。
【請求項３】
グループ２のアレルゲンの配列のＩｇＥ抗体結合エピトープの少なくとも１つが、少なくとも１つのジスルフィド架橋の除去によって欠失していることを特徴とする、請求項１または２に記載のポリペプチド。
【請求項４】
少なくとも１つのジスルフィド架橋が、該ジスルフィド架橋を形成するシステイン残基の少なくとも１つが代わりのアミノ酸残基で置換されることによって欠失していることを特徴とする、請求項３に記載のポリペプチド。
【請求項５】
少なくとも１つのジスルフィド架橋が、追加的アミノ酸配列の挿入によるグループ２アレルゲンの配列の破壊によって欠失していることを特徴とする、請求項４に記載のポリペプチド。
【請求項６】
グループ２アレルゲンのアミノ酸配列が、グループ１アレルゲンのアミノ酸配列の断片の挿入によって破壊されていることを特徴とする、請求項５に記載のポリペプチド。
【請求項７】
グループ１アレルゲンのアミノ酸配列の断片が、成熟したグループ１アレルゲンの４番〜２２２番残基からなる断片であることを特徴とする、請求項６に記載のポリペプチド。
【請求項８】
グループ２アレルゲンである全長成熟タンパク質の８番および１１９番の位置におけるシステイン残基の少なくとも１つが置換されていることを特徴とする、請求項５に記載のポリペプチド。
【請求項９】
置換されたシステイン残基の少なくとも１つがセリン残基で置換されていることを特徴とする、請求項５〜８のいずれかに記載のポリペプチド。
【請求項１０】
グループ１ダニアレルゲンが D. pteronyssinus アレルゲン（Der p 1）であり、グループ２ダニアレルゲンが D. pteronyssinus アレルゲン（Der p 2）であることを特徴とする、請求項１〜９のいずれかに記載のポリペプチド。
【請求項１１】
配列番号４の配列に少なくとも９５％の同一性を示すアミノ酸配列を含むポリペプチド。
【請求項１２】
配列番号４の配列を含むことを特徴とする、請求項１１に記載のポリペプチド。
【請求項１３】
配列番号４の配列からなることを特徴とする、請求項１〜１２のいずれかに記載のポリペプチド。
【請求項１４】
野生のタンパク質アレルゲンの混合物よりも強いＩｇＧ応答を誘導することを特徴とする、請求項１〜１３のいずれかに記載のポリペプチド。
【請求項１５】
分離された野生の分子よりも高いＴ細胞刺激活性を示すことを特徴とする、請求項１〜１４のいずれかに記載のポリペプチド。
【請求項１６】
D. pteronyssinus に対してアレルギーを示す患者の血清においてＩｇＥ認識を示さないことを特徴とする、請求項１〜１５のいずれかに記載のポリペプチド。
【請求項１７】
請求項１〜１６のいずれかに記載のポリペプチドをコードするヌクレオチド配列を含むポリヌクレオチド。
【請求項１８】
配列番号３の配列を含むことを特徴とする、請求項１７に記載のポリペプチド。
【請求項１９】
請求項１７または１８に記載のポリヌクレオチドの配列を含む発現ベクター。
【請求項２０】
請求項１９に記載の発現ベクターで形質変換した宿主細胞。
【請求項２１】
請求項２０に記載の宿主細胞を培養し、該宿主細胞によって生産されたポリペプチドを単離し精製することを含むことを特徴とする、ポリペプチドを生産するための方法。
【請求項２２】
アレルギーの治療または予防に用いるための、請求項１〜１６のいずれかに記載のポリペプチドまたは請求項１９に記載の発現ベクター。
【請求項２３】
請求項１〜１６のいずれかに記載のポリペプチドまたは請求項１９に記載の発現ベクターを含み、場合によってはさらに、薬理学的に許容される賦形剤またはアジュバントを含むことを特徴とする薬剤。
【請求項２４】
皮下投与、舌下投与、経口投与、経鼻投与、直腸投与、局所投与、吸引投与または非経口投与のための、請求項２３に記載の薬剤。
【手続補正書】
【提出日】平成28年5月17日(2016.5.17)
【手続補正１】
【補正対象書類名】特許請求の範囲
【補正対象項目名】請求項２０
【補正方法】変更
【補正の内容】
【請求項２０】
選択対象の二種類以上のハーフトーン処理条件の中から、印刷装置のハーフトーン処理に適用されるハーフトーン処理条件を提示するハーフトーン処理条件提示方法であって、
前記印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得工程と、
前記取得された品質評価用チャートの読み取りデータから、前記二種類以上の品質評価用パターンのそれぞれの品質を表す品質評価情報を生成する品質評価情報生成工程と、
前記選択対象の二種類以上のハーフトーン処理条件のそれぞれについて、前記二種類以上の品質評価用パターンのそれぞれと類似の度合いを表す類似度評価情報を取得する類似度評価情報取得工程と、
前記生成された品質評価情報、及び前記取得された類似度評価情報を用いて、前記選択対象の二種類以上のハーフトーン処理条件の適性予測情報を生成する適性予測情報生成工程と、
前記生成された適性予測情報に基づいて、前記選択対象の二種類以上のハーフトーン処理条件の中から、前記印刷装置のハーフトーン処理に用いられるハーフトーン処理条件を提示するハーフトーン処理条件提示工程と、
を含むハーフトーン処理条件提示方法。
【手続補正２】
【補正対象書類名】明細書
【補正対象項目名】００９９
【補正方法】変更
【補正の内容】
【００９９】
図１の優先度パラメータ取得部３８により取得された、品質、印刷の際のコスト、印刷の際の生産性の優先度を表す優先度パラメータ情報に応じて、「品質重視」、「コスト重視」、「生産性重視」といったＱＣＤ重みテーブルが生成される。
【手続補正３】
【補正対象書類名】明細書
【補正対象項目名】０１７８
【補正方法】変更
【補正の内容】
【０１７８】
負圧発生部３１４により発生させた負圧を記録媒体３０２に作用させることで、記録媒体３０２は搬送ベルト３０８に吸引固定される。
【手続補正４】
【補正対象書類名】明細書
【補正対象項目名】０１８５
【補正方法】変更
【補正の内容】
【０１８５】
図２８に図示したインクジェットヘッド３０６は、記録媒体３０２の幅方向に沿う行方向、及び記録媒体３０２の幅方向と交差する斜めの列方向について、複数のノズル３５０が二次元状（マトリクス状）に配列された、いわゆるマトリクスヘッドである。
【手続補正５】
【補正対象書類名】明細書
【補正対象項目名】０２４０
【補正方法】変更
【補正の内容】
【０２４０】
（第２０態様）：選択対象の二種類以上のハーフトーン処理条件の中から、印刷装置のハーフトーン処理に適用されるハーフトーン処理条件を提示するハーフトーン処理条件提示方法であって、印刷装置を用いて印刷された、選択対象のハーフトーン処理条件の品質評価に用いられる品質評価用チャートであり、予め決められたドット配置規則に従ってドットが配置された品質評価用パターンが二種類以上含まれる品質評価用チャートの読み取りデータを取得する品質評価用チャート読取データ取得工程と、取得された品質評価用チャートの読み取りデータから、二種類以上の品質評価用パターンのそれぞれの品質を表す品質評価情報を生成する品質評価情報生成工程と、選択対象の二種類以上のハーフトーン処理条件のそれぞれについて、二種類以上の品質評価用パターンのそれぞれと類似の度合いを表す類似度評価情報を取得する類似度評価情報取得工程と、生成された品質評価情報、及び取得された類似度評価情報を用いて、選択対象の二種類以上のハーフトーン処理条件の適性予測情報を生成する適性予測情報生成工程と、生成された適性予測情報に基づいて、選択対象の二種類以上のハーフトーン処理条件の中から、印刷装置のハーフトーン処理に用いられるハーフトーン処理条件を提示するハーフトーン処理条件提示工程と、を含むハーフトーン処理条件提示方法。
【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
D-Arg-2',6'-Dmt-Lys-Phe-NH2を有効成分として含む、対象における上昇したCD36発現を減少させるための医薬組成物であって、前記上昇したCD36発現が糖尿病性網膜症と関連している、前記医薬組成物。
【請求項２】
経口投与、局所投与、鼻内投与、全身投与、静脈内投与、皮下投与、筋肉内投与、経皮投与用に処方されている、請求項１記載の医薬組成物。
【請求項３】
対象がヒトである、請求項１記載の医薬組成物。
【請求項４】
対象においてマクロファージ浸潤を低減する、請求項１記載の医薬組成物。
【請求項５】
対象において微細血管内皮細胞機能障害を低減する、請求項１記載の医薬組成物。
【請求項６】
尿細管細胞アポトーシス治療用の医薬組成物であって、ペプチドD-Arg-2',6'-Dmt-Lys-Phe-NH2を有効成分として含む、前記医薬組成物。
【請求項７】
経口投与、局所投与、鼻内投与、全身投与、静脈内投与、皮下投与、筋肉内投与、経皮投与される、請求項６記載の医薬組成物。
【請求項８】
腎間質性線維症を低減する、請求項６記載の医薬組成物。
【請求項９】
腎マクロファージ浸潤を低減する、請求項６記載の医薬組成物。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
遊技領域に設けられる受入口への遊技球の受け入れに基づいて抽選を行う抽選手段を有する主制御手段と、所定の表示手段にて行われる演出表示にかかる制御を行う周辺制御手段と、前記抽選の結果に基づいて遊技球の進入が許容される特別領域と、該特別領域内にて作動しうるとともに前記特別領域内に設けられる特定領域に遊技球を導きうる可動体とを備え、該可動体が作動されることによって前記特定領域に遊技球が受け入れられると遊技者に有利な特典が付与される遊技機であって、
前記主制御手段は、
通常の状態では同じ位置で停止状態とされている前記可動体を、前記抽選の結果が特定の結果であるときに作動させるものであり、該可動体を作動させるときには、同じタイミング且つ同じ態様で作動が開始されるように制御する可動制御手段と、
前記可動体を作動させるときには同じタイミング且つ同じ態様で作動が開始されるなかで、特定の一の受入口への遊技球の受け入れに基づいて行われた前記抽選の結果が前記特定の結果である旨を示す画像が表示されたのちに前記特別領域への遊技球の進入が許容されるパターンとして、前記特定領域への受け入れが容易とされるかたちで前記特別領域への遊技球の進入が許容される有利パターンと、前記特定領域への受け入れが困難とされるかたちで前記特別領域への遊技球の進入が許容される不利パターンとのうち、いずれかのパターンで前記特別領域への遊技球の進入を許容する進入許容手段と、を有し、
前記進入許容手段は、さらに、
前記特典が付与された場合に、前記抽選が所定回数行われるまでは、前記特別領域への遊技球の進入を許容するときには前記有利パターンでの前記特別領域への遊技球の進入を許容する手段を有しており、
前記周辺制御手段は、
前記特定の一の受入口への遊技球の受け入れに基づいて行われた前記抽選の結果が前記特定の結果であるときには前記有利パターンと前記不利パターンとのうちいずれかのパターンで前記特別領域への遊技球の進入が許容されるなかで、該特定の結果である旨を示す画像が前記所定の表示手段にて表示されるよう制御するものの該画像からは前記特別領域への遊技球の進入が前記有利パターンと前記不利パターンとのうちいずれで許容されるかを把握困難とする手段を有し、
前記可動制御手段は、
前記可動体を、前記特別領域内に設けられる特定領域に遊技球を導くことができる態様となるよう作動可能に構成されてなり、
前記特別領域内は、前記有利パターンと前記不利パターンとのいずれで前記特別領域への遊技球の進入が許容されたとしても該特別領域に進入した遊技球が前記可動体の近傍にいたりうるように構成されるとともに、
前記有利パターンにて前記特別領域への進入が許容された遊技球は、前記可動体の作動により前記特定領域に導かれるものである
ことを特徴とする遊技機。
【請求項２】
前記抽選手段は、
前記受入口への遊技球の受け入れに基づいて乱数を取得し、該取得した乱数を用いて前記抽選を行うものである
請求項１に記載の遊技機。
【請求項３】
所定の発光演出が行われるランプ装置をさらに備える
請求項１または２に記載の遊技機。
【手続補正２】
【補正対象書類名】明細書
【補正対象項目名】０００７
【補正方法】変更
【補正の内容】
【０００７】
請求項１に記載の発明は、遊技領域に設けられる受入口への遊技球の受け入れに基づいて抽選を行う抽選手段を有する主制御手段と、所定の表示手段にて行われる演出表示にかかる制御を行う周辺制御手段と、前記抽選の結果に基づいて遊技球の進入が許容される特別領域と、該特別領域内にて作動しうるとともに前記特別領域内に設けられる特定領域に遊技球を導きうる可動体とを備え、該可動体が作動されることによって前記特定領域に遊技球が受け入れられると遊技者に有利な特典が付与される遊技機であって、前記主制御手段は、通常の状態では同じ位置で停止状態とされている前記可動体を、前記抽選の結果が特定の結果であるときに作動させるものであり、該可動体を作動させるときには、同じタイミング且つ同じ態様で作動が開始されるように制御する可動制御手段と、前記可動体を作動させるときには同じタイミング且つ同じ態様で作動が開始されるなかで、特定の一の受入口への遊技球の受け入れに基づいて行われた前記抽選の結果が前記特定の結果である旨を示す画像が表示されたのちに前記特別領域への遊技球の進入が許容されるパターンとして、前記特定領域への受け入れが容易とされるかたちで前記特別領域への遊技球の進入が許容される有利パターンと、前記特定領域への受け入れが困難とされるかたちで前記特別領域への遊技球の進入が許容される不利パターンとのうち、いずれかのパターンで前記特別領域への遊技球の進入を許容する進入許容手段と、を有し、前記進入許容手段は、さらに、前記特典が付与された場合に、前記抽選が所定回数行われるまでは、前記特別領域への遊技球の進入を許容するときには前記有利パターンでの前記特別領域への遊技球の進入を許容する手段を有しており、前記周辺制御手段は、前記特定の一の受入口への遊技球の受け入れに基づいて行われた前記抽選の結果が前記特定の結果であるときには前記有利パターンと前記不利パターンとのうちいずれかのパターンで前記特別領域への遊技球の進入が許容されるなかで、該特定の結果である旨を示す画像が前記所定の表示手段にて表示されるよう制御するものの該画像からは前記特別領域への遊技球の進入が前記有利パターンと前記不利パターンとのうちいずれで許容されるかを把握困難とする手段を有し、前記可動制御手段は、前記可動体を、前記特別領域内に設けられる特定領域に遊技球を導くことができる態様となるよう作動可能に構成されてなり、前記特別領域内は、前記有利パターンと前記不利パターンとのいずれで前記特別領域への遊技球の進入が許容されたとしても該特別領域に進入した遊技球が前記可動体の近傍にいたりうるように構成されるとともに、前記有利パターンにて前記特別領域への進入が許容された遊技球は、前記可動体の作動により前記特定領域に導かれるものである。
請求項２に記載の発明は、請求項１において、前記抽選手段は、前記受入口への遊技球の受け入れに基づいて乱数を取得し、該取得した乱数を用いて前記抽選を行うものである。
請求項３に記載の発明は、請求項１または２において、所定の発光演出が行われるランプ装置をさらに備えるものである。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する決定手段と、
前記決定手段の決定結果に基づいて、導出表示演出を実行してから表示結果を導出表示させる導出表示演出実行手段と、
前記決定手段の決定結果に基づいて、可変表示が開始されてから前記導出表示演出実行手段により前記導出表示演出が実行されるまでに、予告演出を所定回数繰り返し実行する予告演出実行手段と、を備え、
前記予告演出実行手段は、
前記予告演出を繰り返すときには、特殊演出を実行してから、前記予告演出を繰り返し、
未だ開始していない可変表示について保留記憶として記憶する保留記憶手段と、
保留表示領域に、前記保留記憶手段に記憶された保留記憶各々に対応する保留特定情報を表示する保留表示制御手段と、をさらに備え、
可動部材を非重畳位置から保留表示領域の少なくとも一部に重畳する重畳位置に動作可能とし、
前記保留表示制御手段は、前記可動部材が動作するときに、保留特定情報を消去する
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、可変表示を行い、遊技者にとって有利な有利状態（例えば大当り遊技状態など）に制御可能な遊技機（例えばパチンコ遊技機１など）であって、前記有利状態に制御するか否かを決定する決定手段（例えばＣＰＵ１０３がステップＳ２３９の処理を実行する部分など）と、前記決定手段の決定結果に基づいて、導出表示演出を実行してから表示結果を導出表示させる導出表示演出実行手段（例えば演出制御用ＣＰＵ１２０がステップＳ１６２の処理において、画像表示装置５に飾り図柄を停止表示させる部分など）と、前記決定手段の決定結果に基づいて、可変表示が開始されてから前記導出表示演出実行手段により前記導出表示演出が実行されるまでに、予告演出を所定回数繰り返し実行する予告演出実行手段（例えば演出制御用ＣＰＵ１２０がステップＳ７０１における決定結果に基づいて、ステップＳ１６２の処理において、図４２（Ａ）〜（Ｋ）、図４３（Ａ）〜（Ｊ）、図４４（Ａ）〜（Ｌ）に示すように予告演出を繰り返し実行する部分など）と、を備え、前記予告演出実行手段は、前記予告演出を繰り返すときには、特殊演出（例えば図４２（Ｅ）、（Ｈ）、図４３（Ｄ）、（Ｇ）、図４４（Ｅ）、（Ｈ）に示すような演出など）を実行してから、前記予告演出を繰り返し、未だ開始していない可変表示について保留記憶として記憶する保留記憶手段と、保留表示領域に、前記保留記憶手段に記憶された保留記憶各々に対応する保留特定情報を表示する保留表示制御手段と、をさらに備え、可動部材を非重畳位置から保留表示領域の少なくとも一部に重畳する重畳位置に動作可能とし、前記保留表示制御手段は、前記可動部材が動作するときに、保留特定情報を消去することを特徴とする。
このような構成によれば、繰り返し実行される予告演出に意外性が出て、遊技の興趣が向上する。
可変表示が開始されて前記導出表示演出実行手段により前記導出表示演出が実行されるまでに、前記予告演出とは異なる特別予告演出を１回のみ実行する特別予告演出実行手段をさらに備え、前記特別予告演出実行手段は、前記決定手段により前記有利状態に制御すると決定されたことを条件に前記特別予告演出を実行するようにしてもよい。
【手続補正３】
【補正対象書類名】明細書
【補正対象項目名】０００８
【補正方法】変更
【補正の内容】
【０００８】
前記予告演出実行手段は、前記予告演出を所定回数繰り返すときに、前記決定手段の決定結果に基づいて、前記所定回数のうちの特定回数目に前記予告演出を開始してから繰り返すまでの期間が異なるように前記予告演出を開始してから繰り返すまでの期間を決定する（例えば演出制御用ＣＰＵ１２０が、ステップＳ８４５の処理において、図１４（Ａ）に示すように各予告演出を実行する期間が異なる複数種類の連続演出パターンから連続演出パターンを決定する）ようにしてもよい。
このような構成によれば、予告演出が実行される期間に応じて、有利状態に制御される割合が異なるので、遊技者がその間隔に注目するようになり、遊技の興趣が向上する。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
遊技機に対応して設けられ、所定のコンテンツを表示する表示手段を有する遊技用装置と、
複数の該遊技用装置に対して前記コンテンツを送信可能なコンテンツ送信手段を有する管理装置と、を備え、
前記遊技用装置は、該コンテンツ送信手段から送信されてきたコンテンツを複数記憶可能な記憶手段と、該記憶手段で記憶しているコンテンツのいずれかを前記表示手段に表示させる表示処理を行う表示処理手段と、をさらに有する遊技用システムであって、
前記コンテンツ送信手段は、前記コンテンツを送信する際に、予め所定数が定められ前記コンテンツを個々に識別可能な識別情報のうちのいずれかを付与して、当該コンテンツを送信するものであり、該付与する識別情報が前記所定数に達する場合には再付与情報を付与して、当該コンテンツを送信し、
前記記憶手段は、前記再付与情報が付与されていないコンテンツを受信したことに基づいて、該受信したコンテンツと前記識別情報とを記憶すると共に、前記再付与情報が付与されたコンテンツを受信したことに基づいて、該受信したコンテンツの識別情報と同一の識別情報で既に記憶しているコンテンツを消去して、該受信したコンテンツと前記識別情報とを記憶し、
前記送信が失敗した場合に、該送信が失敗した旨を表示することを特徴とする遊技用システム。
【手続補正２】
【補正対象書類名】明細書
【補正対象項目名】０００７
【補正方法】変更
【補正の内容】
【０００７】
まず手段１に係る発明は、
遊技機（パチンコ機１０）に対応して設けられ、所定のコンテンツ（画像，動画）を表示する表示手段（ディスプレイ２４）を有する遊技用装置（カードユニット２０）、
複数の該遊技用装置に対して前記コンテンツを送信可能なコンテンツ送信手段（制御部２２）を有する管理装置（配信装置７０）と、を備え、
前記遊技用装置は、該コンテンツ送信手段から送信されてきたコンテンツを複数記憶可能な記憶手段（制御部２２）と、該記憶手段で記憶しているコンテンツのいずれかを前記表示手段に表示させる表示処理を行う表示処理手段（表示制御基板２２ａ）と、をさらに有する遊技用システム（１，１’）であって、
前記コンテンツ送信手段は、前記コンテンツを送信する際に、予め所定数が定められ前記コンテンツを個々に識別可能な識別情報（識別番号）のうちのいずれかを付与して、当該コンテンツを送信するものであり、該付与する識別情報が前記所定数に達する場合には再付与情報（上書きフラグ１）を付与して、当該コンテンツを送信し、
前記記憶手段は、前記再付与情報が付与されていないコンテンツを受信したことに基づいて、該受信したコンテンツと前記識別情報とを記憶すると共に（Ｓ３０８）、前記再付与情報が付与されたコンテンツを受信したことに基づいて、該受信したコンテンツの識別情報と同一の識別情報で既に記憶しているコンテンツを消去して（Ｓ４０１）、該受信したコンテンツと前記識別情報とを記憶し（Ｓ３０８）、
前記送信が失敗した場合に、該送信が失敗した旨を表示することを特徴とする遊技用システムである。